(57)【要約】  情報記録媒体（１００）は、所定フォーマットに準拠した形式を有しており且つ書換不可能に設定された第１データが予め記録されている第１データエリア（１０６）と、所定フォーマットに準拠した形式を有するコンテンツデータを再生するために第１データと共に補完的に用いられる第２データを記録するための第２データエリア（１２２）とを備える。【特許請求の範囲】
【請求項１】
所定フォーマットに準拠した形式を有する第１データが予め記録されている第１データエリアと、
前記所定フォーマットに準拠した形式を有するコンテンツデータを再生するために前記第１データと共に用いられる第２データを記録するための第２データエリアと
を備えることを特徴とする情報記録媒体。
【請求項２】
前記第２データエリアの位置を示す位置情報を記録するための位置情報エリアを更に備えることを特徴とする請求の範囲第１項に記載の情報記録媒体。
【請求項３】
前記第２データエリアは、前記所定フォーマットに準拠しながら前記第１データエリア中に配置されることを特徴とする請求の範囲第１項に記載の情報記録媒体。
【請求項４】
前記第２データエリアは、前記第１データエリアとの境界に、ダミーデータを記録するためのダミーエリアを備えることを特徴とする請求の範囲第１項に記載の情報記録媒体。
【請求項５】
前記第２データエリアは、最小記録単位の整数倍のデータサイズを有することを特徴とする請求の範囲第１項に記載の情報記録媒体。
【請求項６】
前記第２データエリアを複数備えることを特徴とする請求の範囲第１項に記載の情報記録媒体。
【請求項７】
前記複数の第２データエリアの夫々は、前記所定フォーマットに準拠しながら前記第１データエリア中に離散的に又は連続的に配置されることを特徴とする請求の範囲第６項に記載の情報記録媒体。
【請求項８】
前記第１データ及び前記第２データは、前記所定フォーマットに準拠した前記コンテンツデータの記録及び再生の少なくとも一方を行うための第１アプリケーションに準拠して記録されることを特徴とする請求の範囲第１項に記載の情報記録媒体。
【請求項９】
前記所定フォーマットは、ＤＶＤ−Ｖｉｄｅｏフォーマットであり、
前記第１アプリケーションは、ＤＶＤ−Ｖｉｄｅｏアプリケーションであり、
前記第２データは、動画データ、音声データ及び静止画データの少なくとも一つを含むことを特徴とする請求の範囲第８項に記載の情報記録媒体。
【請求項１０】
前記所定フォーマットは、ＤＶＤ−ＶRフォーマットであり、
前記第１アプリケーションは、ＤＶＤ−ＶRアプリケーションであり、
前記第２データは、動画データ、音声データ及び静止画データの少なくとも一つを含むことを特徴とする請求の範囲第８項に記載の情報記録媒体。
【請求項１１】
前記所定フォーマットは、静止画像のスライドショー再生に用いられるフォーマットであり、
前記第１アプリケーションは、前記静止画像のスライドショー再生を実行可能なスライドショーアプリケーションであり、
前記第２データは、静止画データを含むことを特徴とする請求の範囲第８項に記載の情報記録媒体。
【請求項１２】
前記第２データエリアに記録される前記第２データが予め記録されている第３データエリアを更に備えることを特徴とする請求の範囲第１項に記載の情報記録媒体。
【請求項１３】
前記第３データエリアに予め記録されている前記第２データを再生可能な第２アプリケーションを記録するためのアプリケーションエリアを更に備えることを特徴とする請求の範囲第１２項に記載の情報記録媒体。
【請求項１４】
請求の範囲第１項に記載の情報記録媒体に前記第２データを記録する情報記録装置であって、
前記第２データを取得する取得手段と、
前記取得された第２データを前記第２データエリアに記録する記録手段と
を備えることを特徴とする情報記録装置。
【請求項１５】
前記情報記録媒体は、前記第２データエリアの位置を示す位置情報を記録するための位置情報エリアを更に備えており、
前記位置情報を参照することで、前記第２データエリアの位置を認識する認識手段を更に備え、
前記記録手段は、前記認識された第２データエリアの位置を参照しながら前記第２データを記録することを特徴とする請求の範囲第１４項に記載の情報記録装置。
【請求項１６】
前記記録手段は、前記第２データエリアのうち前記第１データエリアとの境界にダミーデータを記録することを特徴とする請求の範囲第１４項に記載の情報記録装置。
【請求項１７】
前記情報記録媒体は、前記第２データエリアに記録される前記第２データが予め記録されている第３データエリアを更に備え、
前記取得手段は、前記第３データエリアより前記第２データを取得することを特徴とする請求の範囲第１４項に記載の情報記録装置。
【請求項１８】
前記取得手段は、前記第２データが予め記録されている外部記録媒体から前記第２データを取得することを特徴とする請求の範囲第１４項に記載の情報記録装置。
【請求項１９】
前記第２データは、前記所定フォーマットに準拠した形式を有して前記外部記録媒体に記録されていることを特徴とする請求の範囲第１８項に記載の情報記録装置。
【請求項２０】
前記所定フォーマットは、ＤＶＤ−Ｖｉｄｅｏフォーマットであり、
前記記録手段は、前記第２データとして、動画データ、音声データ及び静止画データの少なくとも一つを記録することを特徴とする請求の範囲第１４項に記載の情報記録装置。
【請求項２１】
前記所定フォーマットは、ＤＶＤ−ＶRフォーマットであり、
前記記録手段は、前記第２データとして、動画データ、音声データ及び静止画データの少なくとも一つを記録することを特徴とする請求の範囲第１４項に記載の情報記録装置。
【請求項２２】
前記所定フォーマットは、静止画像のスライドショー再生に用いられるフォーマットであり、
前記記録手段は、前記第２データとして、少なくとも静止画データを記録することを特徴とする請求の範囲第１４項に記載の情報記録装置。
【請求項２３】
請求の範囲第１項に記載の情報記録媒体に前記第２データを記録する情報記録方法であって、
前記第２データを取得する取得工程と、
前記取得された第２データを前記第２データエリアに記録する記録工程と
を備えることを特徴とする情報記録方法。
【請求項２４】
請求の範囲第１４項に記載の情報記録装置に備えられたコンピュータを制御する記録制御用のコンピュータプログラムであって、該コンピュータを、前記取得手段及び前記記録手段のうち少なくとも一部として機能させることを特徴とするコンピュータプログラム。
【発明の詳細な説明】
【技術分野】
【０００１】
本発明は、例えばＤＶＤ等の情報記録媒体、例えばＤＶＤレコーダ等の情報記録装置及び方法、コンピュータをこのような情報記録装置として機能させるコンピュータプログラムの技術分野に関する。
【背景技術】
【０００２】
例えばＣＤ−Ｒ、ＤＶＤ−Ｒ等の記録可能型の光ディスクと同様の記録可能な記録領域と、例えばＣＤ−ＲＯＭ、ＤＶＤ−ＲＯＭ等の再生専用型の光ディスクと同様の再生専用の記録領域とを、一枚の光ディスクの外周寄り領域及び内周寄り領域に分けて併せ持つ、ハイブリッド型光ディスクが現在提案されており、その開発が進められている。【０００３】
このハイブリッド型光ディスクは、具体的には、コンテンツの著作権保護を目的とするＣＰＲＭ（Content Protection for Prerecorded Media）対応の光ディスクとして実用化されている。このＣＰＲＭ対応の光ディスクにおいては、コンテンツデータを暗号化するための暗号化キーをエンボスピットとして再生専用の記録領域に予め記録しておき、該暗号化キーを用いてコンテンツデータを記録可能な記録領域に記録する構成となっている。このようなＣＰＲＭ対応の光ディスクに対して、ＤＶＤ−ＲＯＭ等の再生専用の情報記録媒体から不正にコンテンツデータを複製しようとしても、再生専用の記録領域に暗号化キーを記録することができず、また記録したとしても予め記録されているエンボスピットと新たに記録される記録マークとが干渉して、暗号化キーを適切に読み取ることができなくなる。従って、結果としてコンテンツデータの不正な複製を許さず、コンテンツデータの著作権を好適に保護することができる。
【発明の開示】
【発明が解決しようとする課題】
【０００４】
しかしながら、このようなハイブリッド型光ディスクは、再生専用の記録領域と記録可能な記録領域とが明確に分離されている。例えば、再生専用の記録領域が光ディスクの相対的に内周側に設けられ、記録可能な記録領域が光ディスクの相対的に外周側に設けられている。このため、記録可能領域に記録されるデータを、再生専用の記録領域に記録されているデータに対応付けて最適な記録位置に記録することができないという技術的な問題点を有している。【０００５】
本発明は、例えば上述した従来の問題点に鑑みなされたものであり、例えば好適にデータの記録や再生等を行うことが可能な情報記録媒体、情報記録装置、並びにコンピュータをこのような情報記録装置として機能させるコンピュータプログラムを提供することを課題とする。
【課題を解決するための手段】
【０００６】
（情報記録媒体）
本発明の情報記録媒体は上記課題を解決するために、所定フォーマットに準拠した形式を有する第１データが予め記録されている第１データエリアと、前記所定フォーマットに準拠した形式を有するコンテンツデータを再生するために前記第１データと共に用いられる（或いは、補完的に用いられる）第２データを記録するための第２データエリアとを備える。【０００７】
本発明の情報記録媒体によれば、第１データエリアには、所定フォーマットに準拠した形式の第１データが予め記録されている。そして、この第１データは、書換不可能（或いは、再生専用）に設定されていてもよいし、書換可能（或いは、上書き可能）に設定されていてもよい。他方、第２データエリアには、所定のコンテンツデータを再生するために第１データと共に補完的に用いられる第２データが記録される。この第２データは特に、情報記録媒体のユーザにより記録されることが好ましい。【０００８】
従って、例えば所定フォーマットに準拠するように第１データエリアに対して好適に第２データエリアを配置すれば、第１データエリアに予め記録されている第１データと、第２データエリアに記録されるべき第２データとを適切に関連付けることができる。従って、第１データと第２データとをより好適に組み合わせることができ、所定フォーマットに準拠した所望のコンテンツデータを再生することができる。【０００９】
そして、第１データは所定フォーマットに準拠した形式で第１データエリアに予め記録されているため、情報記録媒体のユーザが該所定フォーマットを意識しながら第１データを記録する必要はない。即ち、所望のコンテンツデータを記録するために、ユーザは第２データを第２データエリアに記録すれば足りる。従って、例えば情報記録媒体のオーサリングをユーザが行なう必要がなくなり、コンテンツデータが記録された情報記録媒体の作成（即ち、コンテンツデータの記録）に関するユーザの負担を軽減することが可能となる。【００１０】
以上の結果、本発明の情報記録媒体によれば、予め記録された第１データに適切に関連付けながら第２データを好適に記録できると共に、コンテンツデータが記録された情報記録媒体を作成するために要する負担を軽減することができる。【００１１】
本発明の情報記録媒体の一の態様は、前記第２データエリアの位置を示す位置情報を記録するための位置情報エリアを更に備える。【００１２】
この態様によれば、位置情報を参照することで比較的容易に第２データエリアの位置を認識することができる。従って、位置情報に基づいて好適に第２データを第２データエリアに好適に記録することが可能となる。【００１３】
本発明の情報記録媒体の他の態様は、前記第２データエリアは、前記所定フォーマットに準拠しながら前記第１データエリア中に配置される。【００１４】
この態様によれば、第１データエリアに予め記録されている第１データに適切に関連付けながら、第２データを記録することができる。従って、第１データと第２データとをより好適に組み合わせることができ、所望のコンテンツデータを再生することができる。【００１５】
加えて、第１データエリア内に第２データエリアが配置されているため、第１データ及び第２データを交互にシークしたりサーチしたりする動作に要する時間を短縮することができる。【００１６】
本発明の情報記録媒体の他の態様は、前記第２データエリアは、前記第１データエリアとの境界に、ダミーデータを記録するためのダミーエリアを備える。【００１７】
この態様によれば、予め記録されている第１データに隣接して第２データが記録されたとしても、第２データの記録の存在によって第１データが或いは第１データの存在によって第２データが影響を受けることはない。従って、第１データ及び第２データの夫々を好適に読み取ることが可能となる。【００１８】
本発明の情報記録媒体の他の態様は、前記第２データエリアは最小記録単位の整数倍のデータサイズを有している。【００１９】
この態様によれば、第２データの記録、書き換えを記録単位ごとに行うことが出来る。【００２０】
本発明の情報記録媒体の他の態様は、前記第２データエリアを複数備える。【００２１】
この態様によれば、第１データと組み合わせることができる第２データを、より多く、且つより好適に第１データに関連付けて記録することができる。これにより、所望のコンテンツデータを再生することができる。【００２２】
本発明の情報記録媒体の他の態様は、前記複数の第２データエリアの夫々は、前記所定フォーマットに準拠しながら前記第１データエリア中に離散的に又は連続的に配置される。【００２３】
この態様によれば、第１データエリアに予め記録されている第１データに関連付けて、第２データを所望の記録位置へ好適に記録することができる。従って、第１データと第２データとをより好適に組み合わせることができ、所望のコンテンツデータを再生することができる。【００２４】
本発明の情報記録媒体の他の態様は、前記第１データ及び前記第２データは、前記所定フォーマットに準拠した前記コンテンツデータの記録及び再生の少なくとも一方を行うための所定アプリケーションに準拠して記録される。【００２５】
この態様によれば、第１アプリケーションに準拠した所定フォーマットで第１データ及び第２データが記録される。従って、例えば第１アプリケーションの用途（或いは、第１アプリケーションが準拠する所定フォーマット）に応じて第１データエリア及び第２データエリアの夫々の配置を最適化することが可能となる。【００２６】
この態様では、前記所定フォーマットは、ＤＶＤ−Ｖｉｄｅｏフォーマットであり、前記第１アプリケーションは、ＤＶＤ−Ｖｉｄｅｏアプリケーションであり、前記第２データは、動画データ、音声データ及び静止画データの少なくとも一つを含む。【００２７】
このように構成すれば、ＤＶＤ−Ｖｉｄｅｏアプリケーションの動作により、第１データ及び第２データの夫々を組み合わせることで構成されるＤＶＤ−Ｖｉｄｅｏコンテンツ（即ち、コンテンツデータ）を好適に再生することができる。そして、第２データを適宜書き換えれば、例えば動画が異なる様々なＤＶＤ−Ｖｉｄｅｏコンテンツや音声が異なる様々なＤＶＤ−Ｖｉｄｅｏコンテンツや静止画が異なる様々なＤＶＤ−Ｖｉｄｅｏコンテンツを再生することができる。これにより、例えばユーザにとって所望の態様のコンテンツデータ（即ち、ＤＶＤ−Ｖｉｄｅｏコンテンツ）を再生することが可能となる。【００２８】
この態様では、前記所定フォーマットは、ＤＶＤ−ＶRフォーマットであり、前記第１アプリケーションは、ＤＶＤ−ＶRアプリケーションであり、前記第２データは、動画データ、音声データ及び静止画データの少なくとも一つを含む。【００２９】
このように構成すれば、ＤＶＤ−ＶRアプリケーションの動作により、第１データ及び第２データの夫々を組み合わせることで構成されるＤＶＤ−ＶRコンテンツ（即ち、コンテンツデータ）を好適に再生することができる。そして、第２データを適宜書き換えれば、例えば動画が異なる様々なＤＶＤ−ＶRコンテンツや音声が異なる様々なＤＶＤ−ＶRコンテンツや静止画が異なる様々なＤＶＤ−ＶRコンテンツを再生することができる。これにより、例えばユーザにとって所望の態様のコンテンツデータ（即ち、ＤＶＤ−ＶRコンテンツ）を再生することが可能となる。【００３０】
またこの態様によれば、前記所定フォーマットは、静止画像のスライドショー再生に用いられるフォーマットであり、前記第１アプリケーションは、前記静止画像のスライドショー再生を実行可能なスライドショーアプリケーションであり、前記第２データは、静止画データを含む。【００３１】
このように構成すれば、スライドショーアプリケーションの動作により第１データ及び第２データの夫々を組み合わせることで、複数の静止画データを用いたスライドショー再生を実行することができる。そして、第２データを適宜書き換えれば、例えば所望の静止画データを例えば所望の順番にスライドショー再生することができる。【００３２】
本発明の情報記録媒体の他の態様は、前記第２データエリアに記録される前記第２データが予め記録されている第３データエリアを更に備える。【００３３】
この態様によれば、第３データエリアに予め記録されている第２データを、第２データエリアに記録することができる。加えて、例えば第３データエリアに複数の第２データが記録されていれば、その中より所望の第２データを選択して第２データエリアに記録することができる。このため、再生されるコンテンツデータの態様を多種多用に変えることも可能となる。【００３４】
本発明の情報記録媒体の他の態様は、前記第３データエリアに予め記録されている前記第２データを再生可能な第２アプリケーションを記録するためのアプリケーションエリアを更に備える。【００３５】
この態様によれば、第２データを第２データエリアに記録しなくとも、例えば第２データをそれ単体で再生することが可能となる。従って、第２データをより有効に利用することが可能となる。【００３６】
（情報記録装置）
本発明の情報記録装置は上記課題を解決するために、上述した本発明の情報記録媒体（但し、その各種態様を含む）に少なくとも前記第２データを記録する情報記録装置であって、前記第２データを取得する取得手段と、前記取得された第２データを前記第２データエリアに記録する記録手段とを備える。【００３７】
本発明の情報記録装置によれば、取得手段の動作により第２データ（好ましくは、所望の第２データ）を取得することができる。そして、記録手段の動作により、この取得された第２データが第２データエリア（好ましくは、所望の第２データエリア）に記録される。従って、上述した本発明に係る情報記録媒体に対して好適に第２データを記録することが可能となる。その結果、本発明に係る情報記録媒体が有する各種利益と同様の利益を享受することが可能となる。【００３８】
尚、上述した本発明の情報記録媒体における各種態様に対応して、本発明の情報記録装置も各種態様を採ることが可能である。【００３９】
本発明の情報記録装置の一の態様は、前記情報記録媒体は、前記第２データエリアの位置を示す位置情報を記録するための位置情報エリアを更に備えており、前記取得手段は、前記位置情報を参照することで、前記第２データエリアの位置を認識する認識手段を更に備え、前記記録手段は、前記認識された第２データエリアの位置を参照しながら前記第２データを記録する。【００４０】
この態様によれば、位置情報を参照することで比較的容易に第２データエリアの位置を認識することができる。従って、好適に第２データを記録することが可能となる。【００４１】
本発明の情報記録装置の他の態様は、前記記録手段は、前記第２データエリアのうち前記第１データエリアとの境界にダミーデータを記録する。【００４２】
この態様によれば、予め記録されている第１データに隣接して第２データが記録されたとしても、第２データの記録によって第１データが或いは第１データの存在によって第２データが影響を受けることはない。従って、第１データ及び第２データの夫々を好適に読み取ることができるように第２データを記録することが可能となる。【００４３】
本発明の情報記録装置の他の態様は、前記情報記録媒体は、前記第２データエリアに記録される前記第２データが予め記録されている第３データエリアを更に備え、前記取得手段は、前記第３データエリアより前記第２データを取得する。【００４４】
この態様によれば、第３データエリアに予め記録されている第２データを取得して、第２データエリアに記録することができる。加えて、例えば第３データエリアに複数の第２データが記録されていれば、その中より所望の第２データを取得して第２データエリアに記録することができる。このため、再生されるコンテンツデータの態様を多種多用に変えることも可能となる。【００４５】
本発明の情報記録装置の他の態様は、前記取得手段は、前記第２データが予め記録されている外部記録媒体から前記第２データを取得する。【００４６】
この態様によれば、多種多様な第２データを記録することが可能な外部記録媒体より取得される第２データを情報記録媒体に記録することができる。このため、再生されるコンテンツデータの態様を多種多用に変えることが可能となる。【００４７】
上述の如く外部記録媒体から第２データを取得する情報記録装置の態様は、前記第２データは、前記所定フォーマットに準拠した形式を有して前記外部記録媒体に記録されているように構成してもよい。【００４８】
このように構成すれば、外部記録媒体から取得した第２データに対して、フォーマット変換等の特殊な処理を施すことなく第２データエリアに記録することができる。従って、コンテンツデータを記録するユーザの負担をより軽減することが可能となる。【００４９】
本発明の情報記録装置の他の態様は、前記所定フォーマットは、ＤＶＤ−Ｖｉｄｅｏフォーマットであり、前記記録手段は、前記第２データとして、動画データ、音声データ及び静止画データの少なくとも一つを記録する。【００５０】
この態様によれば、第１データ及び第２データの夫々を組み合わせることで構成されるＤＶＤ−Ｖｉｄｅｏコンテンツ（即ち、コンテンツデータ）を好適に再生することができる。そして、記録手段の動作により第２データを適宜書き換えれば、例えば動画が異なる様々なＤＶＤ−Ｖｉｄｅｏコンテンツや音声が異なる様々なＤＶＤ−Ｖｉｄｅｏコンテンツや静止画が異なる様々なＤＶＤ−Ｖｉｄｅｏコンテンツを再生することができる。これにより、例えばユーザにとって所望の態様のコンテンツデータ（即ち、ＤＶＤ−Ｖｉｄｅｏコンテンツ）を再生することが可能となる。【００５１】
本発明の情報記録装置の他の態様は、前記所定フォーマットは、ＤＶＤ−ＶRフォーマットであり、前記記録手段は、前記第２データとして、動画データ、音声データ及び静止画データの少なくとも一つを記録する。【００５２】
この態様によれば、第１データ及び第２データの夫々を組み合わせることで構成されるＤＶＤ−ＶRコンテンツ（即ち、コンテンツデータ）を好適に再生することができる。そして、記録手段の動作により第２データを適宜書き換えれば、例えば動画が異なる様々なＤＶＤ−ＶRコンテンツや音声が異なる様々なＤＶＤ−ＶRコンテンツや静止画が異なる様々なＤＶＤ−ＶRコンテンツを再生することができる。これにより、例えばユーザにとって所望の態様のコンテンツデータ（即ち、ＤＶＤ−ＶRコンテンツ）を再生することが可能となる。【００５３】
本発明の情報記録装置の他の態様は、前記所定フォーマットは、静止画像のスライドショー再生に用いられるフォーマットであり、前記記録手段は、前記第２データとして、少なくとも静止画データを記録する。【００５４】
この態様によれば、第１データ及び第２データの夫々を組み合わせることで、複数の静止画データを用いたスライドショー再生を実行することができる。そして、記録手段の動作により第２データを適宜書き換えれば、例えば所望の静止画データを例えば所望の順番にスライドショー再生することができる。このため、ユーザにとってより好適な態様で、柔軟なスライドショー再生を実行することが可能となる。【００５５】
（情報記録方法）
本発明の情報記録方法は上記課題を解決するために、上述した本発明の情報記録媒体（但し、その各種態様を含む）に前記第２データを記録する情報記録方法であって、前記第２データを取得する取得工程と、前記取得された第２データを前記第２データエリアに記録する記録工程とを備える。【００５６】
本発明の情報記録方法によれば、上述した本発明の情報記録装置と同様の各種利益を享受することができる。【００５７】
尚、上述した本発明の情報記録装置における各種態様に対応して、本発明に係る情報記録方法も各種態様を採ることが可能である。【００５８】
本発明の情報記録方法の一の態様は、前記性質情報は、前記夫々の記録層の識別番号を示す層識別フラグを含んでおり、前記取得工程において、前記層識別フラグを取得し、前記記録工程において、前記取得された層識別フラグに基づいて前記複数の記録層のうち所望の記録層に前記記録情報を記録する。【００５９】
この態様によれば、層識別フラグに基づいて、複数の記録層の夫々を識別することができる。従って、例えば誤って意図しない記録層へレーザ光がフォーカシングされた場合等においても、誤った記録層にフォーカシングされていることを比較的容易に且つ迅速に（或いは、即座に又は瞬時に）認識することができる。或いは、記録動作の開始時より本来フォーカシングされるべき記録層へ適切にフォーカシングすることができる。これにより、複数の記録層を有する情報記録媒体に対しても、所望の記録層に好適に記録情報を記録することができる。【００６０】
（コンピュータプログラム）
本発明に係るコンピュータプログラムは上記課題を解決するために、コンピュータを上述した情報記録装置（但し、その各種形態も含む）の少なくとも一部として機能させる。具体的には、コンピュータを上述の取得手段及び記録手段の少なくとも一部として機能させる。【００６１】
本発明に係るコンピュータプログラムによれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報記録装置を比較的簡単に実現できる。【００６２】
尚、上述した本発明の情報記録装置における各種態様に対応して、本発明のコンピュータプログラムも各種態様を採ることが可能である。【００６３】
コンピュータ読取可能な媒体内のコンピュータプログラム製品は上記課題を解決するために、上述した情報記録装置（但し、その各種態様を含む）に備えられたコンピュータにより実行可能なプログラム命令を明白に具現化し、該コンピュータを、上述の取得手段及び記録手段の少なくとも一部として機能させる。【００６４】
本発明のコンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の情報記録装置を比較的容易に実施可能となる。更に具体的には、当該コンピュータプログラム製品は、上述した本発明の情報記録装置として機能させるコンピュータ読取可能なコード（或いはコンピュータ読取可能な命令）から構成されてよい。【００６５】
本発明のこのような作用及び他の利得は次に説明する実施例から更に明らかにされる。【００６６】
以上説明したように、本発明の情報記録媒体によれば、第１データが予め記録された第１データエリア及び第２データを記録するための第２データエリアを備えている。従って、予め記録された第１データに適切に関連付けながら第２データを記録できると共に、コンテンツデータが記録される情報記録媒体を作成するために要する負担を軽減することができる。【００６７】
以上説明したように、本発明の情報記録装置又は方法によれば、取得手段及び記録手段、又は取得工程及び記録工程を備えている。従って、本発明に係る情報記録媒体に対して好適に第２データを記録できる。
【図面の簡単な説明】
【００６８】
【図１】本発明の情報記録媒体の実施例に係る光ディスクの基本構造を示した概略平面図であり、上側に複数のエリアを有する光ディスクの構造を概略平面図で示すと共に、下側にその径方向におけるエリア構造を概念図で対応付けて示すものである。
【図２】本実施例に係る光ディスクのユーザデータエリア内において更に細分化された記録エリアを概念的に示す説明図である。
【図３】本実施例に係る光ディスクに設けられている書換可能エリアに静止画データが記録される態様を概念的に示す説明図である。
【図４】スライドショーの基本的構成を概念的に示す説明図である。
【図５】本実施例に係る光ディスク１００上に設けられるダミーエリアを概念的に示す説明図である。
【図６】変形例に係る情報記録媒体の具体的なデータ構造を概念的に示す説明図である。
【図７】本発明の情報記録装置に係る実施例にとしての情報記録再生装置及びホストコンピュータのブロック図である。
【図８】本実施例に係る情報記録再生装置の記録動作記録動作全体の流れを概念的に示すフローチャートである。
【図９】変形例に係る記録動作を概念的に示す説明図である。
【図１０】変形例に係る記録動作の流れを概念的に示すフローチャートである。
【符号の説明】
【００６９】
１００  光ディスク
１０６  ユーザデータエリア
１１１  ＤＶＤ−Ｖｉｄｅｏファイルエリア
１１２  静止画データエリア
１１３  位置データエリア
１１４  静止画再生用アプリケーションエリア
１２２  書換可能エリア
１２２ａ  ダミーエリア
３００  情報記録再生装置
３５２  光ピックアップ
３５３  信号記録再生手段
３５４  ＣＰＵ
【発明を実施するための最良の形態】
【００７０】
以下、本発明を実施するための最良の形態について実施例毎に順に図面に基づいて説明する。【００７１】
以下、本発明の実施例を図面に基づいて説明する。【００７２】
（情報記録媒体）
初めに、図１から図６を参照して本発明の情報記録媒体に係る実施例について説明を進める。【００７３】
（１）基本構造
先ず図１を参照して、本発明の情報記録媒体の実施例に係る光ディスクの基本構造について説明する。ここに、図１は、上側に複数のエリアを有する光ディスクの構造を概略平面図で示すと共に、下側にその径方向におけるエリア構造を概念図で対応付けて示すものである。【００７４】
図１に示すように、光ディスク１００は、例えば光磁気方式や相変化方式等の各種記録方式でデータを複数回又は１回のみ記録することができる。そして、ＤＶＤと同じく直径１２ｃｍ程度のディスク本体上の記録面に、センターホール１０２を中心として内周から外周に向けて、リードインエリア１０４、ユーザデータエリア１０６及びリードアウトエリア１０８が設けられている。そして、各エリアには、例えば、センターホール１０２を中心にスパイラル状或いは同心円状に、グルーブトラックＧＴ及びランドトラックＬＴが交互に設けられており、このグルーブトラックＧＴはウォブリングされてもよいし、これらのうち一方又は両方のトラックにプリピットが形成されていてもよい。【００７５】
尚、本発明は、このような三つのエリアを有する光ディスクには特に限定されない。例えば、リードインエリア１０４やリードアウトエリア１０８が存在せずとも、以下に説明するファイル構造は構築可能である。また、リードインエリア１０４やリードアウトエリア１０８は更に細分化された構成であってもよい。【００７６】
また、本実施例に係る光ディスク１００は、記録層が１層の光ディスクに限定されず、２層片面（即ち、デュアルレイヤー）や２層両面（即ち、デュアルレイヤーダブルサイド）であってもよい。更には、２層の記録層を有する光ディスクに限られることなく、３層以上の多層型の光ディスクであってもよい。【００７７】
（２）データ構造
続いて、図２及び図３を参照しながら、本実施例に係る光ディスクの具体的なデータ構造について説明する。ここに、図２は、本実施例に係る光ディスクのユーザデータエリア１０６内において更に細分化された記録エリアを概念的に示す説明図であり、図３は、書換可能エリアに静止画データが記録される態様を概念的に示す説明図である。【００７８】
図２に示すように、ユーザデータエリア１０６には、ファイルシステム、ＤＶＤ−Ｖｉｄｅｏファイルエリア１１１、静止画データエリア１１２及び位置データエリア１１３が設けられている。【００７９】
ファイルシステムは、光ディスク１００に記録される各種データ（或いは、各種ファイル）を再生するために用いられる各種制御情報を含んでいる。【００８０】
ＤＶＤ−Ｖｉｄｅｏファイルエリア１１１は、ＤＶＤ−Ｖｉｄｅｏコンテンツを再生するために用いられるＤＶＤ−Ｖｉｄｅｏファイルを記録するための記録エリアである。このＤＶＤ−Ｖｉｄｅｏファイルエリア１１１には、例えば図２の中部に示すように、ＤＶＤ−Ｖｉｄｅｏファイルとして、ＶＴＳＩ（Video Title Set Information）、ＶＴＳＭ＿ＶＯＢＳ（Video Object Set for VTS Menu）、ＶＴＳＴＴ＿ＶＯＢＳ（Video Object Set for Titles in VTS）及びＶＴＳＩ＿ＢＵＰ（VTSI Back Up）が記録されている。尚、より詳細に説明すると、ＤＶＤ−Ｖｉｄｅｏファイルとしては、図示しないＶＭＧ（Video Manager）ファイルと複数のＶＴＳファイルとがＤＶＤ−Ｖｉｄｅｏファイルエリア１１１に記録され、夫々のＶＴＳファイルが上述のＶＴＳＩ、ＶＴＳＭ＿ＶＯＢＳ、ＶＴＳＴＴ＿ＶＯＢＳ及びＶＴＳＩ＿ＢＵＰを含んでいる。【００８１】
そして、再生されるＤＶＤ−Ｖｉｄｅｏコンテンツの実体であるＶＴＳＴＴ＿ＶＯＢは、ナビパックやビデオパックやオーディオパック等を含んで構成されている。従って、例えば後述の情報記録再生装置によりこれらのパック等が読み取られ、ＤＶＤ−Ｖｉｄｅｏコンテンツが再生される。【００８２】
本実施例では特に、ＶＴＳＴＴ＿ＶＯＢが記録される記録エリアの一部（即ち、ＤＶＤ−Ｖｉｄｅｏファイルエリア１１１の一部）には、そこに記録されているデータを書換可能な書換可能エリア１２２が設けられている。この書換可能エリア１２２には、所定のデータが予め書換可能な状態で記録されていてもよいし、或いはデータが記録されていなくともよい。他方、他の一部の記録エリアに記録されている上述のナビパックやビデオコンテンツやオーディオコンテンツ（更には、ＶＴＳＩやＶＴＳＭ＿ＶＯＢＳやＶＴＳＩ＿ＢＵＰ等）は、例えばエンボスピットやプリ記録マーク等により、書換不可能な状態（或いは、再生専用な状態）で記録されている。即ち、書き換え可能エリア１２２が、本発明における「第２データエリア」の一具体例を構成し、ＤＶＤ−Ｖｉｄｅｏファイルエリア１１１のうち書換可能エリア１２２を除く他の記録エリアが、本発明における「第１データエリア」の一具体例を構成している。そして、ＤＶＤ−Ｖｉｄｅｏファイルエリア１１１に予め記録されている各ファイルが、本発明における「第１データ」の一具体例を構成している。また、この書換可能エリア１２２は、例えば１ＥＣＣブロック（或いは、１セクタ）の整数倍のデータサイズを有していることが好ましい。【００８３】
静止画データエリア１１２は、本発明における「第３データエリア」の一具体例を構成しており、例えばＪＰＥＧデータやビットマップデータ等の静止画データ（即ち、本発明における「第２データ」の一具体例）を記録するための記録エリアである。そして、この静止画データは、後述の情報記録再生装置の動作により静止画データエリア１１２より読み取られた後にＤＶＤ−Ｖｉｄｅｏファイルエリア１１１内に設けられている書換可能エリア１２２に記録される。この静止画データエリア１１２に記録される静止画データは、例えばエンボスピットやプリ記録マーク等により、書換不可能な状態で記録されていてもよいし、或いは例えばレーザ光を照射することで形成される記録マークにより書換可能な状態で記録されていてもよい。【００８４】
位置データエリア１１３は、本発明における「位置情報エリア」の一具体例を構成しており、ＤＶＤ−Ｖｉｄｅｏファイルエリア１１１内に設けられている書換可能エリア１２２の位置を特定可能なアドレス情報等を記録するための記録エリアである。このアドレス情報等は、例えば書換可能エリア１２２のアドレス位置（或いは、オフセットアドレス値等）を示していてもよいし、或いは例えば書換可能エリア１２２のトラック番号等を示していてもよい。また、書換可能エリア１２２が複数存在していれば、該複数の書換可能エリア１２２の夫々の位置がアドレス情報等により示される。また、位置データエリア１１３に記録されるアドレス情報等は、例えばエンボスピットやプリ記録マーク等により、書換不可能な状態で記録されていてもよい。【００８５】
このような書換可能エリア１２２には、図３に示すように、例えば後述の情報記録再生装置の記録動作により、静止画データエリア１１２に記録される静止画データが例えばサブピクチャパックとして記録される。例えば、書換可能エリア１２２ａには静止画データ＃１が記録され、書換可能エリア１２２ｂには静止画データ＃２が記録され、書換可能エリア１２２ｃには静止画データ＃３が記録され、書換可能エリア１２２ｄには静止画データ＃４が記録される。或いは、このように書換可能エリア１２２ａから１２２ｄの夫々に静止画データ＃１から＃４のいずれかが記録された後に、改めて書換可能エリア１２２ａに静止画データ＃２が記録され、書換可能エリア１２２ｂには静止画データ＃４が記録され、書換可能エリア１２２ｃには静止画データ＃１が記録され、書換可能エリア１２２ｄには静止画データ＃３が記録されてもよい。即ち、書換可能エリア１２２には所望の静止画データを記録し、また書き換えることができる。【００８６】
また、これらの書換可能エリア１２２ａから１２２ｄの光ディスク１００上における位置は、位置データエリア１１３に記録されているアドレス情報により特定される。例えば、アドレス情報＃１を参照することで書換可能エリア１２２ａの位置が特定され、アドレス情報＃２を参照することで書換可能エリア１２２ｂの位置が特定され、アドレス情報＃３を参照することで書換可能エリア１２２ｃの位置が特定され、アドレス情報＃４を参照することで書換可能エリア１２２ｄの位置が特定される。【００８７】
このように、静止画データを書換可能エリア１２２に記録すれば、該静止画データを含めたＤＶＤ−Ｖｉｄｅｏコンテンツとして再生することができる。そして、該静止画データ以外の各種データ（例えば、ナビパックやビデオパックやオーディオパックやＶＴＳＩやＶＴＳＭ＿ＶＯＢＳやＶＴＳＩ＿ＢＵＰ等）は予め記録されているため、ユーザが記録する必要はない。言い換えれば、このような光ディスク１００をユーザが購入すれば、所望のＤＶＤ−Ｖｉｄｅｏコンテンツが記録された光ディスク１００を作成するために、ユーザがオーサリングを行う必要がない。このため、ＤＶＤ−Ｖｉｄｅｏコンテンツを光ディスク１００に記録する際のユーザの負担を大幅に軽減すると共に、データの記録に要する時間を大幅に短縮することができる。これは、本実施例に係る光ディスク１００のように、再生専用の（即ち、書換不可能な）記録エリアと書換可能な記録エリアとを明確に区別することなく、両者を混在しているがゆえに実現できるものである。【００８８】
そして、書換可能エリア１２２に記録される静止画データを適宜変更する（即ち、書き換える）ことで、様々なサブピクチャパックを含む多種多様なＤＶＤ−Ｖｉｄｅｏコンテンツを再生することが可能となる。これにより、ユーザは多種多様なＤＶＤ−Ｖｉｄｅｏコンテンツを視聴することができる。例えば、静止画データを背景データとして用いるＤＶＤ−Ｖｉｄｅｏコンテンツであれば、背景の画像をユーザの好みに合わせて適宜変更することができる。【００８９】
加えて、静止画データ以外の各種データは、エンボスピットやプリ記録マーク等により書換不可能な状態で予め記録されているため、ユーザの操作によって誤って上書きされたあり或いは消去されたりする不都合を効果的に防止することができる。【００９０】
尚、上述の如く静止画データを書換可能エリア１２２に記録する態様に限定されず、例えばナビパック等の他のデータ（或いは、ＤＶＤ−Ｖｉｄｅｏファイルの再生に用いられるスクリプトデータやプログラムデータやファイルシステム等）を書換可能エリア１２２に記録するように構成してもよい。要は、光ディスク１００を再生するためのアプリケーションに対応するフォーマットで予め一部のデータが記録されており、他の一部のデータを書換可能エリア１２２に記録するように構成すれば、上述の如きオーサリングに要する負担を軽減することができる等の利益を享受することができる。言い換えれば、フォーマットのイメージファイル（即ち、フォーマットとしての形式を有する枠組みとしてのファイル）が予め記録されており、実際に再生される他のデータ（例えば、映像データや音声データや静止画データ等）を該イメージファイルの所定の位置に記録（書換）することができるような光ディスク１００であれば、上述の各種利益を享受することができる。【００９１】
また、このようなＤＶＤ−Ｖｉｄｅｏを再生するための光ディスク１００に限らずとも、もちろん他の各種アプリケーションに準拠した形式の光ディスクであってもよい。例えばリアルタイム記録用のＤＶＤ−ＶＲ形式でも良い。例えば静止画のスライドショーを再生可能な光ディスク等であってもよい。即ち、書換可能エリア１２２以外の記録エリアにスライドショーを実行するためのアプリケーション等が、スライドショーを実行するためのフォーマットの形式を有して予め記録されていれば、例えば書換可能エリア１２２に静止画データを記録することで、該静止画データ（或いは、静止画データをＭＰＥＧのＩピクチャに変換したデータ等）を用いたスライドショーを実行することが可能となる。【００９２】
係るスライドショーに関して図４を示してより具体的に説明する。ここに、図４はスライドショーの基本的構成を概念的に示す説明図である。【００９３】
例えばエンボスピット等により、スライドショーの基本的構成（例えば、図４に示すメニュー画面やサブメニュー画面の基本的な構成等）を規定するデータが、スライドショーを実行するためのフォーマットの形式を有して予め記録されている。例えば、９９枚の静止画をスライドショー再生可能なサブメニュー画面を６つ有するメニュー画面を複数個備える基本的構成を規定するデータ（いわば、枠組みとしてのデータ）が、スライドショーを実行するためのフォーマットの形式を有して予め記録されている。そして、スライドショーに実際に用いられる静止画は、ユーザにより静止画データとして書換可能エリア１２２に記録される。そして、１つ目のメニュー画面にて表示可能な数（例えば、６つのサブメニュー画面にて表示可能な数）を超える静止画データが記録されれば、予め記録されているスライドショーの基本的構成を規定するデータに基づいて、順次２つ目、３つ目のメニュー画面を新たに作成していく。また、静止画データ等が未だ記録されていなければ、１つ目のメニュー画面等には初期データとして予め記録されているデフォールトの画像を表示するように構成してもよい。従って、ユーザは所望の静止画を用いたスライドショー再生を実行することが可能な光ディスク１００を、オーサリング処理等を行なうことなく比較的容易に作成することが可能となる。【００９４】
もちろん、スライドショー以外のその他のアプリケーションに対応するように構成してもよい。【００９５】
例えば、ゲームソフト等に本実施例に係る光ディスク１００をゲームソフト等に適用すれば、例えばステージクリアーやゲームクリアー等に応じて、書換可能エリア１２２に異なるデータ（ファイル）を記録すれば、ユーザは、異なったシナリオに基づいてゲームを行なったり、ボーナスステージ等へ新たに進めるようになったり、或いは異なるエンディング画面を見たり、多種多様なゲームシーンを楽しむことができる。【００９６】
尚、書換可能エリア１２２とそれ以外の記録エリアとの境界が相隣接しないように構成してもよい。係る構成について図５を参照しながら説明する。ここに、図５は、本実施例に係る光ディスク１００上に設けられるダミーエリアを概念的に示す説明図である。【００９７】
図５に示すように、書換可能エリア１２２は、該書換可能エリア１２２以外の記録エリアとの境界部分に、例えば１ＥＣＣブロックの大きさ（例えば、３２ＫＢの大きさ）を有するダミーエリア１２２ａを備えていることが好ましい。また、静止画データ等もＥＣＣブロック単位で記録されることが好ましい。ダミーエリア１２２ａには、静止画データの代わりに所定のダミーデータ（例えば、“００ｈ”データ等）が記録されることが好ましい。これにより、書換可能エリア１２２以外の記録エリアに予め記録されている各種データに影響を及ぼす（或いは、干渉する）ことなく、書換可能エリア１２２に例えば静止画データ等を好適に記録することが可能となる。特に、ＥＣＣブロック単位でダミーデータを記録し、また次のＥＣＣブロックより静止画データ等を記録するため、ＥＣＣブロック単位でエラー訂正にも悪影響を与えることがないという利点も有している。【００９８】
また、書換可能エリア１２２は、複数回のデータの記録が可能でなくとも、例えばＤＶＤ−Ｒ等のように１回のみデータの記録が可能であってもよい。また、オーサリングにかかる負担を軽減すると言う観点からは、上述の書換可能エリア１２２以外の記録エリアに記録される各種データは、書換不可能な状態で記録されていなくともよく、例えば書換可能な状態で記録されていてもよい。即ち、光ディスク１００の全面が、例えばＤＶＤ−ＲやＤＶＤ＋Ｒ等のように１回のみデータの記録が可能であってもよいし、或いは例えばＤＶＤ−ＲＷやＤＶＤ＋ＲＷやＤＶＤ−ＲＡＭ等のように複数回のデータの記録が可能であってもよい。【００９９】
（３）変形例
続いて、図６を参照して、本実施例に係る情報記録媒体の変形例について説明する。ここに、図６は、変形例に係る情報記録媒体の具体的なデータ構造を概念的に示す説明図である。【０１００】
変形例に係る光ディスク１０１も、上述の光ディスク１００と同様に、ユーザデータエリア１０６には、ファイルシステム、ＤＶＤ−Ｖｉｄｅｏファイルエリア１１１、静止画データエリア１１２及び位置データ１１３が設けられている。また、ＤＶＤ−Ｖｉｄｅｏファイルエリア１１１内のデータ構造も、図３に示したデータ構造と同様である。【０１０１】
変形例では特に、ユーザデータエリア１０６には、静止画再生用アプリケーションエリア１１４が設けられている。静止画再生用アプリケーションエリア１１４には、静止画データエリア１１２に記録されている静止画データを、それ単体で再生（或いは、表示する）ことが可能な静止画再生用アプリケーションが記録される。即ち、静止画再生用アプリケーションは、本発明における「第２アプリケーション」の一具体例を構成している。【０１０２】
従って、例えば情報記録再生装置の一具体例たるＤＶＤレコーダ等の動作により、静止画データエリア１１２に記録されている静止画データを書換可能エリア１２２に記録すれば、該静止画データを含むＤＶＤ−Ｖｉｄｅｏコンテンツを再生することができる。これと共に、例えばＰＣ等に光ディスク１００をローディングすれば、静止画再生用アプリケーションエリア１１４に記録されている静止画再生用アプリケーションが実行されることで、静止画データを単体で再生することもできる。即ち、１つの静止画データを異なる２つの用途に用いることができ、静止画データを効率的に使用することが可能となる。【０１０３】
（情報記録再生装置）
続いて、図７及び図８を参照して本発明の情報記録装置に係る実施例である情報記録再生装置について説明する。【０１０４】
（１）基本構成
先ず、図７を参照して、本実施例に係る情報記録再生装置３００及び、ホストコンピュータ４００の構成について説明する。ここに、図７は、本実施例に係る情報記録再生装置及びホストコンピュータのブロック図である。尚、情報記録再生装置３００は、光ディスク１００に記録データを記録する機能と、光ディスク１００に記録された記録データを再生する機能とを備える。【０１０５】
図７に示すように、情報記録再生装置３００は、光ディスク１００、スピンドルモータ３５１、光ピックアップ３５２、信号記録再生手段３５３、ＣＰＵ（ドライブ制御手段）３５４、メモリ３５５、データ入出力制御手段３０６、及びバス３５７を備えて構成されている。また、ホストコンピュータ４００は、ＣＰＵ３５９、メモリ３６０、操作／表示制御手段３０７、操作ボタン３１０、表示パネル３１１、及びデータ入出力制御手段３０８を備えて構成される。【０１０６】
スピンドルモータ３５１は光ディスク１００を回転及び停止させるもので、光ディスク１００へのアクセス時に動作する。より詳細には、スピンドルモータ３５１は、図示しないサーボユニット等によりスピンドルサーボを受けつつ所定速度で光ディスク１００を回転及び停止させるように構成されている。【０１０７】
光ピックアップ３５２は、光ディスク１００への記録再生を行うために、例えば半導体レーザ装置とレンズ等から構成される。より詳細には、光ピックアップ３５２は、光ディスク１００に対してレーザ光を、再生時には読み取り光として第１のパワーで照射し、記録時には書き込み光として第２のパワーで且つ変調させながら照射する。【０１０８】
信号記録再生手段３５３は、本発明における「記録手段」及び「取得手段」の一具体例を構成しており、スピンドルモータ３５１と光ピックアップ３５２を制御することで光ディスク１００に対して記録再生を行う。より具体的には、信号記録再生手段３５３は、例えば、レーザダイオード（ＬＤ）ドライバ及びヘッドアンプ等によって構成されている。レーザダイオードドライバ（ＬＤドライバ）は、光ピックアップ３５２内に設けられた図示しない半導体レーザを駆動する。ヘッドアンプは、光ピックアップ３５２の出力信号、即ち、レーザ光の反射光を増幅し、該増幅した信号を出力する。より詳細には、信号記録再生手段３５３は、ＯＰＣ（Optimum Power Control）処理時には、ＣＰＵ３５４の制御下で、図示しないタイミング生成器等と共に、ＯＰＣパターンの記録及び再生処理により最適なレーザパワーの決定が行えるように、光ピックアップ３５２内に設けられた図示しない半導体レーザを駆動する。【０１０９】
メモリ３５５は、記録再生データのバッファ領域や、信号記録再生手段３５３で使用出来るデータに変換する時の中間バッファとして使用される領域など情報記録再生装置３００におけるデータ処理全般及びＯＰＣ処理において使用される。また、メモリ３５５はこれらレコーダ機器としての動作を行うためのプログラム、即ちファームウェアが格納されるＲＯＭ領域と、記録再生データの一時格納用バッファや、ファームウェアプログラム等の動作に必要な変数が格納されるＲＡＭ領域などから構成される。【０１１０】
ＣＰＵ（ドライブ制御手段）３５４は、信号記録再生手段３５３及びメモリ３５５と、バス３５７を介して接続され、各種制御手段に指示を行うことで、情報記録再生装置３００全体の制御を行う。通常、ＣＰＵ３５４が動作するためのソフトウェア又はファームウェアは、メモリ３５５に格納されている。【０１１１】
データ入出力制御手段３０６は、情報記録再生装置３００に対する外部からのデータ入出力を制御し、メモリ３５５上のデータバッファへの格納及び取り出しを行う。情報記録再生装置３００とＳＣＳＩや、ＡＴＡＰＩなどのインタフェースを介して接続されている外部のホストコンピュータ４００（以下、適宜ホストと称す）から発行されるドライブ制御命令は、データ入出力制御手段３０６を介してＣＰＵ３５４に伝達される。また、記録再生データも同様にデータ入出力制御手段３０６を介して、ホストコンピュータ４００とやり取りされる。【０１１２】
操作／表示制御手段３０７はホストコンピュータ４００に対する動作指示受付と表示を行うもので、例えば記録又は再生といった操作ボタン３１０による指示をＣＰＵ３５９に伝える。ＣＰＵ３５９は、操作／表示制御手段３０７からの指示情報を元に、データ入出力手段３０８を介して、情報記録再生装置３００に対して制御命令（コマンド）を送信し、情報記録再生装置３００全体を制御する。同様に、ＣＰＵ３５９は、情報記録再生装置３００に対して、動作状態をホストコンピュータ４００に送信するように要求するコマンドを送信することができる。これにより、記録中や再生中といった情報記録再生装置３００の動作状態が把握できるためＣＰＵ３５９は、操作／表示制御手段３０７を介して蛍光管やＬＣＤなどの表示パネル３１１に情報記録再生装置３００の動作状態を出力することができる。【０１１３】
メモリ３６０は、ホストコンピュータ４００が使用する内部記憶装置であり、例えばＢＩＯＳ（Basic Input／Output System)等のファームウェアプログラムが格納されるＲＯＭ領域、オペレーティングシステムや、アプリケーションプログラム等の動作に必要な変数等が格納されるＲＡＭ領域などから構成される。また、データ入出力制御手段３０８を介して、図示しないハードディスク等の外部記憶装置に接続されていてもよい。【０１１４】
以上説明した、情報記録再生装置３００とホストコンピュータ４００を組み合わせて使用する一具体例は、映像を記録再生するレコーダ機器等の家庭用機器である。このレコーダ機器は放送受信チューナや外部接続端子からの映像信号をディスクに記録し、テレビなど外部表示機器にディスクから再生した映像信号を出力する機器である。メモリ３６０に格納されたプログラムをＣＰＵ３５９で実行させることでレコーダ機器としての動作を行っている。また、別の具体例では、情報記録再生装置３００はディスクドライブ（以下、適宜ドライブと称す）であり、ホストコンピュータ４００はパーソナルコンピュータやワークステーションである。パーソナルコンピュータ等のホストコンピュータ４００とディスクドライブはＳＣＳＩやＡＴＡＰＩといったデータ入出力制御手段３０６及び３０８を介して接続されており、ホストコンピュータ４００にインストールされているライティングソフトウェア等のアプリケーションが、ディスクドライブを制御する。【０１１５】
（２）記録動作例
続いて、図８を参照して、本実施例に係る情報記録再生装置による記録動作について説明する。ここに、図８は、記録動作全体の流れを概念的に示すフローチャートである。尚、ここで説明する記録動作は、書換可能エリア１２２に例えば静止画データ等を記録する動作に関するものである。【０１１６】
図８に示すように、先ず、光ディスク１００が情報記録再生装置３００にローディングされ、ＣＰＵ３５４の制御の下に、ディスクチェックが行われる（ステップＳ１０１）。即ち、例えばデータの記録に必要な制御情報が取得されたり、或いはＯＰＣ処理等が行なわれたりする。【０１１７】
その後、ＣＰＵ３５４の制御の下に、位置データエリア１１３に記録されているアドレス情報等が取得される（ステップＳ１０２）。特に、これから静止画データ等を記録しようとしている書換可能エリア１２２に関するアドレス情報等が選択的に取得されることが好ましい。これにより、情報記録再生装置３００は、書換可能エリア１２２の光ディスク１００上における位置を認識することができる。【０１１８】
続いて、ＣＰＵ３５４の制御の下に、静止画データエリア１１２に記憶されている静止画データ等が取得される（ステップＳ１０３）。特に、これから記録しようとしている静止画データ等が選択的に取得されることが好ましい。【０１１９】
その後、ステップＳ１０２において取得された静止画データが、ステップＳ１０２において取得されたアドレス情報等が示す書換可能エリア１２２に記録される（ステップＳ１０４）。【０１２０】
続いて、ＣＰＵ３５４の制御の下に、静止画データ等の記録が終了したか否かが判定される（ステップＳ１０５）。【０１２１】
この判定の結果、終了していないと判定された場合（ステップＳ１０５：Ｎｏ）、再びステップＳ１０２へ戻り、書換可能エリア１２２への静止画データ等の記録動作を継続する。【０１２２】
他方、終了していると判定された場合（ステップＳ１０５：Ｙｅｓ）、記録動作が終了し、必要に応じてファイナライズ処理／ファイルシステムの更新などを行ってもよいし、光ディスク１００を情報記録再生装置３００よりイジェクトしてもよい。【０１２３】
以上の結果、本実施例に係る光ディスク１００に設けられている書換可能エリア１２２に対して静止画データ等を好適に記録することができる。即ち、ユーザがオーサリングを行なう必要がなく、比較的短時間でＤＶＤ−Ｖｉｄｅｏコンテンツを作成することができる。もちろん、上述の光ディスク１００の説明において言及した各種記録の態様に対応して、図８に示す記録動作を適宜変更してもよい。【０１２４】
（３）再生動作例
続いて、本実施例に係る情報記録再生装置による再生動作について説明する。光ディスク１００に記録されたＤＶＤ−Ｖｉｄｅｏコンテンツを再生する場合は、書換可能エリア１２２等を特段意識することなく、通常のＤＶＤ−Ｖｉｄｅｏコンテンツを再生する場合と同様の再生動作を行なえばよい。これにより、書換可能エリア１２２に静止画データ等が記録された光ディスク１００より、静止画データと書換可能エリア１２２以外の記録エリアに書換不可能な状態で予め記録された各種データ（例えば、ナビパックやビデオパックやオーディオパックやその他ＶＴＳＩ等）とを組み合わせて、所望のＤＶＤ−Ｖｉｄｅｏコンテンツを再生することができる。【０１２５】
もちろん、上述の光ディスク１００の説明において言及した各種記録の態様に対応して、再生動作を適宜変更してもよい。例えば、静止画再生用アプリケーションエリア１１４が設けられている光ディスク１００を再生する場合には、ホストコンピュータ４００上のＣＰＵ３５９に静止画再生用アプリケーションが読み込まれ、静止画データエリア１１２に記録されている静止画データが単体で再生されてもよい。【０１２６】
（４）変形例
続いて、図９及び図１０を参照して、本実施例に係る情報記録再生装置の変形例について説明する。ここに、図９は、変形例に係る記録動作を概念的に示す説明図であり、図１０は、変形例に係る記録動作の流れを概念的に示すフローチャートである。尚、変形例では、例えばハードディスク等の外部記録媒体に記録された静止画データ（或いは、静止画データを含む）を光ディスク１００ａに記録する記録動作の態様である。特に、スライドショーに関するファイルを記録する記録動作を例に説明する。【０１２７】
図９に示すように、変形例に係る情報記録再生装置３００は、例えばハードディスク等の外部記録媒体に記録されているデータ（ファイル）を光ディスク１００ａに記録する。このハードディスクは、例えばホストコンピュータ４００内に備えられている。但し、情報記録再生装置３００内に設けられていてもよいし、或いはこれら以外の機器内に備えられていてもよい。【０１２８】
ハードディスクには、スライドショーのアプリケーションに準拠した形式のイメージデータが予め記録されている。即ち、スライドショーのアプリケーションに準拠してオーサリングされたイメージデータが記録されている。特に、イメージデータが記録される記録エリアの一部は、ユーザが所望の静止画データを記録可能なように、上述の書換可能エリア１２２として設定されている。【０１２９】
そして、ユーザがこの書換可能エリア１２２に所望の静止画データを記録した後に、該イメージデータ全体を光ディスク１００ａに記録すれば、ユーザが所望の静止画データを用いたスライドショーを実行可能な光ディスク１００ａを生成することができる。尚、静止画データは、ハードディスクに記録されていてもよいし、或いは例えばメモリーカードなどのリムーバルな記録媒体に記録されていてもよい。【０１３０】
この記録動作について、図１０を参照しながら、より詳細に説明する。図１０に示すように、先ずＣＰＵ３５９の制御の下に、ハードディスク上に新規のイメージデータを生成するか否かが判定される（ステップＳ２０１）。即ち、ハードディスク上に存在する既存のイメージデータを編集するのか又は新規にイメージデータ生成して編集するのかが判定される。既存のイメージデータは、ユーザによってハードディスク上に記録（生成）されたものであってもよいし、或いは予めハードディスク上に記録されていたものであってもよい。或いは、スライドショーを実行するために、スライドショーアプリケーションをホストコンピュータ４００が備えるハードディスクに記録する際に、自動的に生成・記録されるものであってもよい。【０１３１】
この判定の結果、新規のイメージデータを生成しないと判定された場合（ステップＳ２０１：Ｎｏ）、続いて、ＣＰＵ３５９の制御の下に、ハードディスク上のどのイメージデータを編集するかが選択される（ステップＳ２０２）。その後、ステップＳ２０２において選択されたイメージデータのいずれの記録位置に静止画データ等を記録するかが設定される（ステップＳ２０３）。即ち、選択されたイメージデータ上に設定されている一又は複数の書換可能エリア１２２のうちいずれの書換可能エリア１２２に静止画データを記録するかが選択される。その後、ステップＳ２０８へ進む。【０１３２】
他方、新規のイメージデータを生成すると判定された場合（ステップＳ２０１：Ｙｅｓ）、続いて、イメージデータ作成のためのファイルが読み出され（ステップＳ２０４）、イメージデータの枠組みが設定される。そして、例えば図４において示したメニュー画面の種類（例えば、メニュー画面の構成やサブメニュー画面の数等）が選択され（ステップＳ２０５）、更にメニュー画面の背景（例えば、メニュー画面を表示しているときのその背景の画像やユーザが所望の静止画データを再生している際のその背景の画像等）等が選択される（ステップＳ２０６）。このようにして新たにイメージデータが生成される。【０１３３】
その後、生成されたイメージデータのいずれの記録位置に静止画データ等を記録するかが設定される（ステップＳ２０３）。【０１３４】
続いて、イメージデータ上に記録される（即ち、イメージデータエリアのうち書換可能エリア１２２に記録される）静止画データが選択される（ステップＳ２０７）。その後、ステップＳ２０７において選択された静止画データが、ステップＳ２０３において設定された書換可能エリア１２２に記録される（ステップＳ２０７）。このとき、静止画データが書換可能エリアに好適に収まるように、そのサイズを変換する等の各種処理を行ってもよい。【０１３５】
その後、イメージデータの編集（即ち、静止画データの記録）が終了したが否かが判定される（ステップＳ２０９）。【０１３６】
この判定の結果、編集が終了していないと判定された場合（ステップＳ２０９：Ｎｏ）、再度ステップＳ２０７へ戻り静止画データの記録が継続される。他方、編集が終了していると判定された場合（ステップＳ２０９：Ｙｅｓ）、例えば編集されたイメージデータをハードディスク上にセーブ（記録）する。続いて、このイメージデータ（或いは、その一部）を光ディスク１００ａへ記録するか否かが判定される（ステップＳ２１０）。【０１３７】
この判定の結果、光ディスク１００ａへ記録しないと判定された場合（ステップＳ２１０：Ｎｏ）、記録動作が終了する。他方、光ディスク１００ａへ記録すると判定された場合（ステップＳ２１０：Ｙｅｓ）、続いて、光ディスク１００ａに対してディスクチェックが行われる（ステップＳ２１１）。【０１３８】
続いて、例えば上述のＤＶＤ−Ｖｉｄｅｏファイルエリア１１１等の如く、スライドショーアプリケーションに準拠した形式のデータ（例えば、静止画データ以外のスライドショーを実行するために必要なデータ）がプリ記録されているか否かが判定される（ステップＳ２１２）。即ち、光ディスク１００ａが、上述の本実施例に係る光ディスク１００の如き構成を有しているか否かが判定される。【０１３９】
この判定の結果、プリ記録されていると判定された場合（ステップＳ２１２：Ｙｅｓ）、イメージデータに含まれる静止画データが選択的に、光ディスク１００ａの書換可能エリア１２２に記録される（ステップＳ２１３）。その後、記録動作を終了する。【０１４０】
他方、光ディスク１００ａがブランクディスク（即ち、何も記録されていないディスク）である等の理由により、プリ記録されていないと判定された場合（ステップＳ２１２：Ｎｏ）、イメージデータ全体を光ディスク１００ａへ記録する（ステップＳ２１４）。その後、記録動作を終了する。【０１４１】
以上の結果、変形例によれば、上述した実施例の如く、ユーザがオーサリングを行なう必要がなく、比較的短時間で、例えばスライドショーコンテンツやＤＶＤ−Ｖｉｄｅｏコンテンツ等の各種コンテンツデータを作成することができる。より詳細には、コンテンツデータ等を記録するための光ディスク１００ａがブランクディスクであろうが、或いは所定フォーマットに準拠したデータがプリ記録された光ディスク１００であろうが、ハードディスク上においてイメージデータが生成されているため、光ディスク１００に記録する時点でオーサリングを行う必要がない。【０１４２】
更に、ブランクディスクへイメージデータ全体を記録することができるため、スライドショー再生に用いられる一連のストリームを分割することなく記録することができる。即ち、光ディスク１００上の書換可能エリア１２２に静止画データを記録する場合には、一連のストリームを記録していないため、例えばＤＣ誤差の圧縮等が所望の範囲に収まらない恐れもある。しかるに、変形例によれば、一連のストリームとしてイメージデータを記録することができるため、このような不都合を生ずることはないという大きな利点を有している。それでいて上述の如くオーサリングを行なう必要がないという利点をも同時に享受することができるという大きな利点を有している。【０１４３】
また、上述の実施例では、情報記録媒体の一例として光ディスク１００及び情報記録装置の一例として光ディスク１００に係るレコーダについて説明したが、本発明は、光ディスク及びそのレコーダに限られるものではなく、他の高密度記録或いは高転送レート対応の各種情報記録媒体（例えば、ＣＤやＢｌｕ−ｒａｙディスクやＨＤＤＶＤ等並びにそのレコーダにも適用可能である。【０１４４】
本発明は、上述した実施例に限られるものではなく、請求の範囲及び明細書全体から読み取れる発明の要旨或いは思想に反しない範囲で適宜変更可能であり、そのような変更を伴う情報記録媒体、情報記録装置及び方法、並びに記録制御用のコンピュータプログラムもまた本発明の技術的範囲に含まれるものである。
【産業上の利用可能性】
【０１４５】
本発明に係る情報記録媒体、情報記録装置及び方法、並びにコンピュータプログラムは、例えば、ＤＶＤ等の高密度光ディスクに利用可能であり、更にＤＶＤレコーダ等の情報記録装置に利用可能である。また、例えば民生用或いは業務用の各種コンピュータ機器に搭載される又は各種コンピュータ機器に接続可能な情報記録装置等にも利用可能である。
【図１】
2006013822.tif 000002
【図２】
2006013822.tif 000003
【図３】
2006013822.tif 000004
【図４】
2006013822.tif 000005
【図５】
2006013822.tif 000006
【図６】
2006013822.tif 000007
【図７】
2006013822.tif 000008
【図８】
2006013822.tif 000009
【図９】
2006013822.tif 000010
【図１０】
2006013822.tif 000011
【手続補正書】
【提出日】平成18年5月29日(2006.5.29)
【手続補正１】
【補正対象書類名】特許請求の範囲
【補正対象項目名】全文
【補正方法】変更
【補正の内容】
【書類名】請求の範囲
【請求項１】所定フォーマットに準拠した形式を有する第１データが予め記録されている第１データエリアと、
前記所定フォーマットに準拠した形式を有するコンテンツデータを再生するために前記第１データと共に用いられる第２データを記録するための第２データエリアと、
前記第２データエリアに記録される前記第２データが予め記録されている第３データエリアと
を備えることを特徴とする情報記録媒体。
【請求項２】前記第２データエリアの位置を示す位置情報を記録するための位置情報エリアを更に備えることを特徴とする請求の範囲第１項に記載の情報記録媒体。
【請求項３】前記第２データエリアは、前記所定フォーマットに準拠しながら前記第１データエリア中に配置されることを特徴とする請求の範囲第１項に記載の情報記録媒体。
【請求項４】前記第２データエリアは、前記第１データエリアとの境界に、ダミーデータを記録するためのダミーエリアを備えることを特徴とする請求の範囲第１項に記載の情報記録媒体。
【請求項５】前記第２データエリアは、最小記録単位の整数倍のデータサイズを有することを特徴とする請求の範囲第１項に記載の情報記録媒体。
【請求項６】前記第２データエリアを複数備えることを特徴とする請求の範囲第１項に記載の情報記録媒体。
【請求項７】前記複数の第２データエリアの夫々は、前記所定フォーマットに準拠しながら前記第１データエリア中に離散的に又は連続的に配置されることを特徴とする請求の範囲第６項に記載の情報記録媒体。
【請求項８】前記第１データ及び前記第２データは、前記所定フォーマットに準拠した前記コンテンツデータの記録及び再生の少なくとも一方を行うための第１アプリケーションに準拠して記録されることを特徴とする請求の範囲第１項に記載の情報記録媒体。
【請求項９】前記所定フォーマットは、ＤＶＤ−Ｖｉｄｅｏフォーマットであり、
前記第１アプリケーションは、ＤＶＤ−Ｖｉｄｅｏアプリケーションであり、
前記第２データは、動画データ、音声データ及び静止画データの少なくとも一つを含むことを特徴とする請求の範囲第８項に記載の情報記録媒体。
【請求項１０】前記所定フォーマットは、ＤＶＤ−ＶＲフォーマットであり、
前記第１アプリケーションは、ＤＶＤ−ＶＲアプリケーションであり、
前記第２データは、動画データ、音声データ及び静止画データの少なくとも一つを含むことを特徴とする請求の範囲第８項に記載の情報記録媒体。
【請求項１１】前記所定フォーマットは、静止画像のスライドショー再生に用いられるフォーマットであり、
前記第１アプリケーションは、前記静止画像のスライドショー再生を実行可能なスライドショーアプリケーションであり、
前記第２データは、静止画データを含むことを特徴とする請求の範囲第８項に記載の情報記録媒体。
【請求項１２】（削除）
【請求項１３】前記第３データエリアに予め記録されている前記第２データを再生可能な第２アプリケーションを記録するためのアプリケーションエリアを更に備えることを特徴とする請求の範囲第１項に記載の情報記録媒体。
【請求項１４】請求の範囲第１項に記載の情報記録媒体に前記第２データを記録する情報記録装置であって、
前記第２データを前記第３データエリアより取得する取得手段と、
前記取得された第２データを前記第２データエリアに記録する記録手段と
を備えることを特徴とする情報記録装置。
【請求項１５】前記情報記録媒体は、前記第２データエリアの位置を示す位置情報を記録するための位置情報エリアを更に備えており、
前記位置情報を参照することで、前記第２データエリアの位置を認識する認識手段を更に備え、
前記記録手段は、前記認識された第２データエリアの位置を参照しながら前記第２データを記録することを特徴とする請求の範囲第１４項に記載の情報記録装置。
【請求項１６】前記記録手段は、前記第２データエリアのうち前記第１データエリアとの境界にダミーデータを記録することを特徴とする請求の範囲第１４項に記載の情報記録装置。
【請求項１７】（削除）
【請求項１８】前記取得手段は、前記第２データが予め記録されている外部記録媒体から前記第２データを取得することを特徴とする請求の範囲第１４項に記載の情報記録装置。
【請求項１９】前記第２データは、前記所定フォーマットに準拠した形式を有して前記外部記録媒体に記録されていることを特徴とする請求の範囲第１８項に記載の情報記録装置。
【請求項２０】前記所定フォーマットは、ＤＶＤ−Ｖｉｄｅｏフォーマットであり、
前記記録手段は、前記第２データとして、動画データ、音声データ及び静止画データの少なくとも一つを記録することを特徴とする請求の範囲第１４項に記載の情報記録装置。
【請求項２１】前記所定フォーマットは、ＤＶＤ−ＶＲフォーマットであり、
前記記録手段は、前記第２データとして、動画データ、音声データ及び静止画データの少なくとも一つを記録することを特徴とする請求の範囲第１４項に記載の情報記録装置。
【請求項２２】前記所定フォーマットは、静止画像のスライドショー再生に用いられるフォーマットであり、
前記記録手段は、前記第２データとして、少なくとも静止画データを記録することを特徴とする請求の範囲第１４項に記載の情報記録装置。
【請求項２３】請求の範囲第１項に記載の情報記録媒体に前記第２データを記録する情報記録方法であって、
前記第２データを前記第３データエリアより取得する取得工程と、
前記取得された第２データを前記第２データエリアに記録する記録工程と
を備えることを特徴とする情報記録方法。
【請求項２４】請求の範囲第１４項に記載の情報記録装置に備えられたコンピュータを制御する記録制御用のコンピュータプログラムであって、該コンピュータを、前記取得手段及び前記記録手段のうち少なくとも一部として機能させることを特徴とするコンピュータプログラム。
【請求項２５】所定のフォーマットに準拠した形式を有する書き換え不可能な第１データが予め記録されている第１データエリアと、
前記所定フォーマットに準拠した形式を有するコンテンツデータを再生するために前記第１データと共に用いられる書き換え可能な第２データを記録するための第２データエリアと
を備えることを特徴とする情報記録媒体。
【請求項２６】前記第２データエリアの位置を示す位置情報を記録するための位置情報エリアを更に備えることを特徴とする請求の範囲第２５項に記載の情報記録媒体。
【請求項２７】前記第２データエリアは、前記第１データエリアとの境界に、ダミーデータを記録するためのダミーエリアを備えることを特徴とする請求の範囲第２５項に記載の情報記録媒体。
【請求項２８】前記第２データエリアを複数備え、
前記複数の第２データエリアの夫々は、前記所定フォーマットに準拠しながら前記第１データエリア中に離散的に又は連続的に配置されることを特徴とする請求の範囲第２５項に記載の情報記録媒体。
【請求項２９】請求の範囲第２５項に記載の情報記録媒体に前記第２データを記録する情報記録装置であって、
前記第２データを取得する取得手段と、
前記取得された第２データを前記第２データエリアに記録する記録手段と
を備えることを特徴とする情報記録装置。
【請求項３０】前記情報記録媒体は、前記第２データエリアの位置を示す位置情報を記録するための位置情報エリアを更に備えており、
前記位置情報を参照することで、前記第２データエリアの位置を認識する認識手段を更に備え、
前記記録手段は、前記認識された第２データエリアの位置を参照しながら前記第２データを記録することを特徴とする請求の範囲第２９項に記載の情報記録装置。
【請求項３１】前記記録手段は、前記第２データエリアのうち前記第１データエリアとの境界にダミーデータを記録することを特徴とする請求の範囲第２９項に記載の情報記録装置。
【請求項３２】請求の範囲第２５項に記載の情報記録媒体に前記第２データを記録する情報記録方法であって、
前記第２データを取得する取得工程と、
前記取得された第２データを前記第２データエリアに記録する記録工程と
を備えることを特徴とする情報記録方法。
【請求項３３】請求の範囲第２９項に記載の情報記録装置に備えられたコンピュータを制御する記録制御用のコンピュータプログラムであって、該コンピュータを、前記取得手段及び前記記録手段のうち少なくとも一部として機能させることを特徴とするコンピュータプログラム。
【手続補正書】
【提出日】平成19年2月15日(2007.2.15)
【手続補正１】
【補正対象書類名】特許請求の範囲
【補正対象項目名】全文
【補正方法】変更
【補正の内容】
【特許請求の範囲】
【請求項１】
所定フォーマットに準拠した形式を有する第１データが予め記録されている第１データエリアと、
前記所定フォーマットに準拠した形式を有するコンテンツデータを再生するために前記第１データと共に用いられる第２データを記録するための第２データエリアと、
前記第２データエリアに記録される前記第２データが予め記録されている第３データエリアと
を備え、
前記第２データエリアは空きエリアであることを特徴とする情報記録媒体。
【請求項２】
所定フォーマットに準拠した形式を有する書換不可能な第１データが予め記録されている第１データエリアと、
前記所定フォーマットに準拠した形式を有するコンテンツデータを再生するために前記第１データと共に用いられる書換可能な第２データを記録するための第２データエリアと
を備え、
前記第２データエリアは空きエリアであることを特徴とする情報記録媒体。
【請求項３】
前記第２データエリアの位置を示す位置情報を記録するための位置情報エリアを更に備えることを特徴とする請求の範囲第１又は２に記載の情報記録媒体。
【請求項４】
前記第２データエリアは、前記所定フォーマットに準拠しながら前記第１データエリア中に配置されることを特徴とする請求項１又は２に記載の情報記録媒体。
【請求項５】
前記第２データエリアは、前記第１データエリアとの境界に、ダミーデータを記録するためのダミーエリアを備えることを特徴とする請求項１又は２に記載の情報記録媒体。
【請求項６】
前記第２データエリアは、最小記録単位の整数倍のデータサイズを有することを特徴とする請求項１又は２に記載の情報記録媒体。
【請求項７】
前記第２データエリアを複数備えることを特徴とする請求項１又は２に記載の情報記録媒体。
【請求項８】
前記複数の第２データエリアの夫々は、前記所定フォーマットに準拠しながら前記第１データエリア中に離散的に又は連続的に配置されることを特徴とする請求項７に記載の情報記録媒体。
【請求項９】
前記第１データ及び前記第２データは、前記所定フォーマットに準拠した前記コンテンツデータの記録及び再生の少なくとも一方を行うための第１アプリケーションに準拠して記録されることを特徴とする請求項１又は２に記載の情報記録媒体。
【請求項１０】
前記所定フォーマットは、ＤＶＤ−Ｖｉｄｅｏフォーマットであり、
前記第１アプリケーションは、ＤＶＤ−Ｖｉｄｅｏアプリケーションであり、
前記第２データは、動画データ、音声データ及び静止画データの少なくとも一つを含むことを特徴とする請求項９に記載の情報記録媒体。
【請求項１１】
前記所定フォーマットは、ＤＶＤ−ＶRフォーマットであり、
前記第１アプリケーションは、ＤＶＤ−ＶRアプリケーションであり、
前記第２データは、動画データ、音声データ及び静止画データの少なくとも一つを含むことを特徴とする請求項９に記載の情報記録媒体。
【請求項１２】
前記所定フォーマットは、静止画像のスライドショー再生に用いられるフォーマットであり、
前記第１アプリケーションは、前記静止画像のスライドショー再生を実行可能なスライドショーアプリケーションであり、
前記第２データは、静止画データを含むことを特徴とする請求項９に記載の情報記録媒体。
【請求項１３】
前記第３データエリアに予め記録されている前記第２データを再生可能な第２アプリケーションを記録するためのアプリケーションエリアを更に備えることを特徴とする請求項１又は２に記載の情報記録媒体。
【請求項１４】
請求項１に記載の情報記録媒体に前記第２データを記録する情報記録装置であって、
前記第２データを前記第３データエリアより取得する取得手段と、
前記取得された第２データを前記第２データエリアに記録する記録手段と
を備えることを特徴とする情報記録装置。
【請求項１５】
請求項２に記載の情報記録媒体に前記第２データを記録する情報記録装置であって、
前記第２データを取得する取得手段と、
前記取得された第２データを前記第２データエリアに記録する記録手段と
を備えることを特徴とする情報記録装置。
【請求項１６】
前記情報記録媒体は、前記第２データエリアの位置を示す位置情報を記録するための位置情報エリアを更に備えており、
前記位置情報を参照することで、前記第２データエリアの位置を認識する認識手段を更に備え、
前記記録手段は、前記認識された第２データエリアの位置を参照しながら前記第２データを記録することを特徴とする請求項１４又は１５に記載の情報記録装置。
【請求項１７】
前記記録手段は、前記第２データエリアのうち前記第１データエリアとの境界にダミーデータを記録することを特徴とする請求項１４又は１５に記載の情報記録装置。
【請求項１８】
前記記録装置は、前記取得された第２データが前記第２データエリアに好適に収まるように、前記取得された第２データのサイズを変更することを特徴とする請求項１４又は１５に記載の情報記録装置。
【請求項１９】
前記取得手段は、前記第２データが予め記録されている外部記録媒体から前記第２データを取得することを特徴とする請求項１４又は１５に記載の情報記録装置。
【請求項２０】
前記第２データは、前記所定フォーマットに準拠した形式を有して前記外部記録媒体に記録されていることを特徴とする請求項１９に記載の情報記録装置。
【請求項２１】
前記所定フォーマットは、ＤＶＤ−Ｖｉｄｅｏフォーマットであり、
前記記録手段は、前記第２データとして、動画データ、音声データ及び静止画データの少なくとも一つを記録することを特徴とする請求項１４又は１５に記載の情報記録装置。
【請求項２２】
前記所定フォーマットは、ＤＶＤ−ＶRフォーマットであり、
前記記録手段は、前記第２データとして、動画データ、音声データ及び静止画データの少なくとも一つを記録することを特徴とする請求項１４又は１５に記載の情報記録装置。
【請求項２３】
前記所定フォーマットは、静止画像のスライドショー再生に用いられるフォーマットであり、
前記記録手段は、前記第２データとして、少なくとも静止画データを記録することを特徴とする請求の範囲項１４又は１５に記載の情報記録装置。
【請求項２４】
請求項１に記載の情報記録媒体に前記第２データを記録する情報記録方法であって、
前記第２データを前記第３データエリアより取得する取得工程と、
前記取得された第２データを前記第２データエリアに記録する記録工程と
を備えることを特徴とする情報記録方法。
【請求項２５】
請求項２に記載の情報記録媒体に前記第２データを記録する情報記録方法であって、
前記第２データを取得する取得工程と、
前記取得された第２データを前記第２データエリアに記録する記録工程と
を備えることを特徴とする情報記録方法。
【請求項２６】
請求項１４又は１５に記載の情報記録装置に備えられたコンピュータを制御する記録制御用のコンピュータプログラムであって、該コンピュータを、前記取得手段及び前記記録手段のうち少なくとも一部として機能させることを特徴とするコンピュータプログラム。
【国際調査報告】
2006013822.tif 000012
2006013822.tif 000013
2006013822.tif 000014
2006013822.tif 000015